(57)【要約】【課題】既設電柱の架設線路を新設電柱に移設する際、張線器を用いて移設作業できるようにする。【解決手段】既設電柱Ｄ４側にロッド３が位置するように、張線器１を架線Ｃに取り付けた後、張線器１の操作部５を操作することにより、張線器１の本体２をロッド３側に移動させて、挟持手段１０，１０で挟持された所定区間の架線Ｃの張力を解除し、固定手段２０，３０で、張線器１の本体２を既設電柱Ｄ４に位置固定した後、前記所定区間の架線Ｃを切断した後、切断された本体２側の架線Ｃに、新設電柱Ｄ６に架設された新たな架線５５を接続し、張線器１のロッド３を本体２から進出させて、既設電柱Ｄ４と張線器１のロッド３との間の架線Ｃを切断する。【選択図】図１０
2012080678.tif 000002
【特許請求の範囲】
【請求項１】
本体（２）と該本体（２）に対して進退するロッド（３）とを備え、本体（２）およびロッド（３）に架線（Ｃ）を挟持する挟持手段（１０，１０）を有し、かつ、ロッド（３）の進退を操作する操作部（５）を有する構成からなる張線器（１）を用いて、既設電柱（Ｄ４）に架設されている架設線路（ｄ）を、既設電柱（Ｄ４）の近傍に立設された新設電柱（Ｄ６）に移設する際の架設線路移設工法であって、
既設電柱（Ｄ４）側にロッド（３）を位置させて、該架設線路（ｄ）の架線（Ｃ）に張線器（１）を取り付けるとともに、張線器（１）の操作部（５）を操作することにより、本体（２）をロッド（３）側に移動させて、挟持手段（１０，１０）で挟持された所定区間の架線（Ｃ）の張力を解除し、
固定手段（２０，３０）で、張線器（１）の本体（２）を既設電柱（Ｄ４）に位置固定した後、前記所定区間の架線（Ｃ）を切断した後、
切断された本体（２）側の架線（Ｃ）に、新設電柱（Ｄ６）に架設された新たな架線（５５）を接続し、
張線器（１）のロッド（３）を本体（２）から進出させて、既設電柱（Ｄ４）と張線器（１）のロッド（３）との間の架線（Ｃ）を切断するようにしたことを特徴とする架設線路移設工法。
【発明の詳細な説明】
【技術分野】
【０００１】
本発明は、既設電柱の架設線路を新設電柱に移設する際の架設線路移設工法に関する。
【背景技術】
【０００２】
従来の架設線路移設工法は、例えば、図１３に示すような配線箇所に適用されている。該配線場所は、一の架設線路から複数の他の架設線路が分岐接続されて、各架設線路が十字状に配線された場所となっている。具体的に説明すると、図１３は、正面から見て、上側の既設電柱Ｄ１から分岐接続点Ａまでを架設線路ａ、分岐接続点Ａから下側の既設電柱Ｄ２を架設線路ｂ、左側の既設電柱Ｄ３から分岐接続点Ａまでを架設線路ｃ、分岐接続点Ａから右側の既設電柱Ｄ４までを架設線路ｄであることを示し、各架設線路ａ〜ｄのうち、架設線路ｄの既設電柱Ｄ４が新設電柱Ｄ６に建て替えられることを示している。また該既設電柱Ｄ４よりもさらに右側に位置する既設電柱Ｄ５は、架設線路ｄを引き留め状態にするための引留装柱であることを示している。
【０００３】
そして、新設電柱Ｄ６に移設する架設線路ｄを除く他の架設線路ａ〜ｃに配置された分岐接続点Ａ手前の各既設電柱Ｄ１〜Ｄ３に、工事用開閉器４０，…を個別に接続し、各工事用開閉器４０，…をバイパスケーブルＫで接続し、各工事用開閉器４０，…によってバイパス経路（通電経路）Ｐを形成している。すなわち、新設電柱Ｄ６に移設する架設線路ｄを停電状態にしている。
【０００４】
そして、工事用開閉器を既設電柱に接続する場合、例えば、既設電柱を挟んで両側に配置された各引留クランプよりも外側の架線部位に工事用開閉器付属ケーブルで接続される。具体的には、該架線部位の被覆を剥離し、露出した導体部位と工事用開閉器の端子とをリード線（工事用開閉器付属ケーブル）で接続されることが知られている（特許文献１参照）。
【先行技術文献】
【特許文献】
【０００５】
【特許文献１】特公平５−１４４９１号公報
【発明の概要】
【発明が解決しようとする課題】
【０００６】
しかしながら、従来の前記架設線路移設工法においては、新設電柱Ｄ６に移設される架設線路ｄを除く他の架設線路ａ〜ｃに配置された分岐接続点Ａ手前の各既設電柱Ｄ１〜Ｄ３に、工事用開閉器４０，…を個別に接続するとともに、各工事用開閉器４０，…をバイパスケーブルＫで接続してバイパス経路Ｐを形成しているため、多大の時間と労力を要するという問題がある。
【０００７】
ところで、新設電柱Ｄ６に移設される架設線路ｄのみを停電状態にする方法として、分岐接続点Ａから建て替える既設電柱Ｄ４との間の架設線路ｄの架線に工事用開閉器４０を接続してバイパス経路を形成した後、該架設線路ｄの架線に張線器を取り付けて、該張線器で挟持された所定区間の架設線路ｄの架線を切断して、該架設線路ｄのみを停電状態にすることも考えられる。しかしながら、張線器において切断した架設が不安定な状態となり、他の通電状態の架線や電気機器と接触する恐れがあるため、張線器を用いた架設線路移設工法は実施されていないのが現況である。
【０００８】
そこで、本発明は、前記問題を鑑み、既設電柱の架設線路を新設電柱に移設する際、張線器を用いて移設作業することができる架設線路移設工法を提供することを目的とする。
【課題を解決するための手段】
【０００９】
本発明に係る架設線路移設工法は、本体２と該本体２に対して進退するロッド３とを備え、本体２およびロッド３に架線Ｃを挟持する挟持手段１０，１０を有し、かつ、ロッド３の進退を操作する操作部５を有する構成からなる張線器１を用いて、既設電柱Ｄ４に架設されている架設線路ｄを、既設電柱Ｄ４の近傍に立設された新設電柱Ｄ６に移設する際の架設線路移設工法であって、既設電柱Ｄ４側にロッド３を位置させて、該架設線路ｄの架線Ｃに張線器１を取り付けるとともに、張線器１の操作部５を操作することにより、本体２をロッド３側に移動させて、挟持手段１０，１０で挟持された所定区間の架線Ｃの張力を解除し、固定手段２０，３０で、張線器１の本体２を既設電柱Ｄ４に位置固定した後、前記所定区間の架線Ｃを切断した後、切断された本体２側の架線Ｃに、新設電柱Ｄ６に架設された新たな架線５５を接続し、張線器１のロッド３を本体２から進出させて、既設電柱Ｄ４と張線器１のロッド３との間の架線Ｃを切断するようにしたことを特徴とする。
【００１０】
この場合、既設電柱Ｄ４側にロッド３を位置させて、該架設線路ｄの架線Ｃに張線器１を取り付けるとともに、張線器１の本体２をロッド２側に移動させて、挟持手段１０，１０で挟持した所定区間の架線Ｃの張力を解除し、本体２をロッド３側に移動させた張線器１を固定手段２０，３０で固定した後、前記所定区間の架線Ｃを切断するようにしたので、切断された架線Ｃが位置固定されるようになり、通電状態の他の架設線路や電気機器に接触することを回避できる。
【００１１】
また、前記所定区間の架線Ｃを切断した後、張線器１のロッド３を本体２から進出させて、既設電柱Ｄ４と張線器１のロッド３との間の架線Ｃを切断するようにしたので、切断された際の応力が架線Ｃに及ぶことがなく、作業者の安全性を確保することができる。
【発明の効果】
【００１２】
以上説明したように、本発明によれば、既設電柱側に張線器のロッドが位置するように、既設電柱に架設された架線に張線器を取り付けるとともに、張線器の本体をロッド側に移動させて、挟持手段で挟持した所定区間の架線の張力を解除し、本体がロッド側に移動した状態の張線器を固定手段によって位置固定し、さらに、張線器によって張力が解除された所定区間の架線を切断した後、切断された張線器の本体側の架線に、新設電柱からの新たな架線を接続し、その後、張線器のロッドを本体から進出させて、既設電柱と張線器のロッドとの間の架線部位を切断するようにしたので、従来できなかった張線器を用いた移設作業を行うことができる。
【図面の簡単な説明】
【００１３】
【図１】一の架設線路から分岐接続された複数の他の架設線路のうち、新設電柱に建て替える既設電柱を有する他の架設線路において行われる本発明の一実施形態に係る架設線路移設工法を説明する概略図。
【図２】（ａ）は、新設電柱に移設する架設線路の架線に取り付けられる張線器の正面図、（ｂ）は、架線が遊挿される張線器の遊挿環の側面図。
【図３】（ａ）は、張線器の両端部に連結される一対の掴器の正面図、（ｂ）は、掴器の側面図。
【図４】張線器の本体を把持するための間接活線工事用把持具を示す正面図。
【図５】建て替える既設電柱に装着されるとともに、間接活線工事用把持具を固定支持する仮支持具を示す斜視図。
【図６】（ａ）は、本発明の一実施形態に係る架設線路移設工法であって、張線器の両端部に連結された掴器で架線を掴んだ状態を示す概略図、（ｂ）は、工事用開閉器を既設電柱に取り付けるとともに、仮支持具を既設電柱に取り付けて、張線器の本体を仮支持具で位置固定し、さらに、張線器のロッドを本体側に後退させて、各掴器によって挟持された所定区間における架線の張力を解除する状態を示す概略図。
【図７】張線器の両端部に掴器を連結するとともに、張線器の本体を、間接活線工事用把持具で把持した状態を示す図。
【図８】（ａ）は、張線器によって張力が解除された所定長さの架線を切断した状態を示す概略図、（ｂ）は、張線器とは反対側の建替電柱の引留クランプの近傍に、新設電柱が配置された状態を示す概略図。
【図９】（ａ）は、建て替える既設電柱の引留クランプに掛止された架線を、新設電柱の引留クランプに掛止した状態を示す概略図、（ｂ）は、新設電柱の引留クランプに掛止した架線を、スリーブで接続して縁をとって、張線器の近傍まで引き回して接続した状態を示す概略図。
【図１０】（ａ）は、張線器のロッドを本体から伸長させて、建替電柱の引留クランプと張線器の掴器との間の電線を切断した後、工事用開閉器を建替電柱から取り外した状態を示す概略図、（ｂ）は、間接活線工事用把持具を張線器の本体から取り外した状態を示す概略図。
【図１１】（ａ）は、張線器を除去した状態を示す概略図、（ｂ）は、建て替える既設電柱を撤去した後、新設電柱に移設された架線に張力を付与した状態を示す概略図。
【図１２】（ａ）〜（ｆ）は、本発明の一実施形態に係る架設線路移設工法の要旨を示す概略説明図。
【図１３】一の架設線路から分岐接続された複数の他の架設線路のうち、新設電柱に移設する架設線路を有する他の架設線路において行われる従来の架設線路移設工法を説明する概略図。
【発明を実施するための形態】
【００１４】
本発明の一実施形態に係る架設線路移設工法について図１〜図１１を参照しながら説明する前に、該架設線路移設工法が適用される配線場所と、本実施形態に係る架設線路移設工法に使用される工具、すなわち張線器（ホットプラー）、挟持手段（掴器（カムラー））、および固定手段（間接活線工事用把持具（ストレーリンクトング）と仮支持具）の構成について順に説明する。
【００１５】
配線場所としては、図１に示すように、一の架設線路から複数の他の架設線路が分岐接続されて、各架設線路が十字状に配線された場所とする。具体的に説明すると、図１は、正面から見て、上側の既設電柱Ｄ１から分岐接続点Ａまでを架設線路ａ、分岐接続点Ａから下側の既設電柱Ｄ２を架設線路ｂ、左側の既設電柱Ｄ３から分岐接続点Ａまでを架設線路ｃ、分岐接続点Ａから右側の既設電柱Ｄ４までを架設線路ｄであることを示し、各架設線路ａ〜ｄのうち、架設線路ｄの既設電柱Ｄ４が新設電柱Ｄ６に建て替えられることを示している。また該既設電柱Ｄ４よりもさらに右側に位置する既設電柱Ｄ５は、架設線路ｄを引き留め状態にするための引留装柱であることを示している。
【００１６】
なお、本実施形態では既設電柱Ｄ４のみを図６（ａ），（ｂ）、図８（ａ），（ｂ）〜図１１（ａ）において図示しているが、図６（ａ），（ｂ）、図８（ａ），（ｂ）〜図１１（ａ）に示す既設電柱Ｄ４と同様に、図示していない他の各既設電柱Ｄ１〜Ｄ５にも、腕金５０が取り付けられるとともに、該腕金５０に耐張碍子５１、引留クランプ５２、およびピン碍子５３が取り付けられ、さらに、各引留クランプ５２，５２に架線Ｃが掛止されるとともに、ジャンパー線によって縁線５４がつくられているものとする。
【００１７】
張線器１は、図２（ａ），（ｂ）に示すように、先端部側の内部に雌ねじ（図示せず）が形成された有底筒状の本体２と、基端部側に形成された雄ねじ（図示せず）が、本体２の雌ねじ螺合することによって、本体２に対して進退するロッド３と、本体２の基端部およびロッド３の先端部に、軸部が回動自在に支持された一対のフック４，４と、本体２の基端部の外周面に装着され、本体２を回動操作することでロッド３を進退させる回動操作部５と、本体２およびロッド３に位置変更できるように取り付けられ、切断される所定長さの架線Ｃが遊挿される一対の遊挿環６，６とを備えている。そして、遊挿環６は、図２（ｂ）に示すように、本体２に挿通される環状の挿通部６ａと、本体２およびロッド３に軸方向および周方向における挿通部６ａの位置を固定する固定部６ｂと、架線が遊挿される遊挿部６ｃとを有している。固定部６ｂは、挿通部６ａに螺合して貫設され、先端部が本体２及びロッド３に、前後および下方から当接する雄ねじからなる。遊挿部６ｃは、側面視略Ｃ字形状の本体部６０ｃと、該本体部６０ｃの開口部を開閉する棒状の開閉部６１ｃとを有している。固定部６ｂおよび遊挿部６ｃの開閉部には、間接活線工事用操作具（ホットスティック）によって操作できるように、操作用リング７が配置されている。
【００１８】
掴器１０は、図３（ａ），（ｂ）に示すように、正面視矩形状の本体１１と、該本体１１の一端部に配置された固定側挟持部１２と、本体１１の軸線に対して略直交するように、かつ、固定側挟持部１２に対向するように配置され、しかも、本体１１に対して移動自在に配置される可動側挟持部１３と、該可動側挟持部１３を固定側挟持部１２に対して近接離間させるための雄ねじからなる操作棒１４とを備えている。そして、固定側挟持部１２と可動側挟持部１３の間には、架線Ｃが挿通される隙間Ｈが形成されている。また、可動側挟持部１３の一端部に、張線器１のフック４が引っ掛けられる連結部材としての環状綱１５が設けられている。また、操作棒１４の基端部には、ホットスティックによって操作できるように、操作用リング１６が形成されている。なお、図３（ａ），（ｂ）においては、便宜上、片方（左側）の掴器１０を図示しているが、実際には、図７に示すように、張線器１の両端部に、左右一対の掴器１０が配置される。左側と右側の掴器１０は、線対称な形状になっており、同様の部材によって構成されている。
【００１９】
固定手段を構成する間接活線工事用把持具２０は、図４に示すように、絶縁性を有する操作棒２１と、該操作棒２１の基端部の外周面に取り付けられた操作部２２と、操作棒２１の先端部に配置された把持部２３とを備えている。操作棒２１は、円筒状を呈しており、吸湿性の少ないエポキシ樹脂系強化プラスチックやポリエステル樹脂系強化プラスチックなどの変形し難くかつ絶縁性が低下しない部材によって形成されている。そして、その内部の両側には詰栓を行い、浸水を防ぐために接着剤にて表面をコーティング処理するなどの防水処理が施されている（図示せず）。そして、操作棒２１の中間部には、感電事故を防止するために把持してよい部分と、それ以外の部分との境界を明確にするための安全限界つば２４が嵌合固定されている。また、降雨時の対策として、水切り用のつば（水切りつば）２５が、安全限界つば２４の上方に嵌合固定されている。これら安全限界つば２４および水切りつば２５は、軟質性の合成ゴムから形成されている。また、操作棒２１の基端部側に配置された操作部２２は、駆動軸（雄ねじ）２６を回動操作するハンドル２７が配置されている。また、操作棒２１の先端部に配置された把持部２３は、操作棒２１の先端部に固設された固定側把持部２３ａと、操作棒２１の先端部から外部に導出された駆動軸２６に対して回転自在に支持されるとともに、固定側把持部２３ａに対して近接離間する可動側把持部２３ｂとを有している。
【００２０】
固定手段を構成する仮支持具３０は、図５に示すように、電柱の外周面に装着される一対の装着部３１と、該各装着部３１から水平方向に突設された固定側支持筒３２と、該各固定側支持筒３２に挿入されて進退可能な可動側支持筒３３と、該各可動側支持筒３３の先端部に直交方向に固設された梁材３４と、該梁材３４に所定の間隔をおいて配置された一対の支持片３５と、該各支持片３５に鉛直方向に挿通された高さ調整可能な昇降用支持筒３６と、該各昇降用支持筒３６に配置され、間接活線工事用把持具２０の操作棒２１を挟持する角度調整可能な挟持部３７とを備えている。そして、装着部３１は、円弧状の一対のバンド３１ａ，３１ａを有しており、各バンド３１ａ，３１ａの両端部に形成された突片３１ｂ，３１ｂを接合させて、ボルトＢ・ナット（図示せず）によって各バンド３１ａ，３１ａを締結し、電柱に仮支持具３０を固定できるようになっている。また、各バンド３１ａ，３１ａには、一対の三角形状の支持体３１ｃ、３１ｃが溶着されており、各支持体３１ｃ，３１ｃによって、固定側支持筒３２が水平方向に支持されている。また、昇降用支持筒３６は、３相の架線Ｃに合わせて３つ配置されており、中央の昇降用支持筒３６が偏って配置されている。また、挟持部３７の角度調整部の構成としては、図示していないが、菊座であってもよく、扇形状の板材に所定の間隔をおいて孔を形成し、ボルト・ナットで挟持部３７の位置を固定するようにしてもよい。そして、固定側支持筒３２に対する可動側支持筒３３の位置と、昇降用支持筒３６および挟持部３７の位置（角度調整を含む）とを、間接活線工事用把持具２０の操作棒２１の位置とを確認しつつ位置調整して、可動側支持筒３３、昇降用支持筒３６、および挟持部３７をそれぞれ固定する。
【００２１】
つぎに本実施形態に係る架設線路移設工法について説明する。まず、図６（ａ）に示すように、張線器１の本体２側およびロッド３側の各フック４，４に、一対の掴器１０，１０の環状綱１５，１５を引っ掛けて、各掴器１０，１０を介して張線器１を、架設線路ｄの架線Ｃに取り付ける。この際、張線器１のロッド３側のフック４が建て替える既設電柱（以下、建替電柱という）Ｄ４側に位置するように、本体２側のフック４が反対側に位置するようにして、張線器１を、架設線路ｄの架線Ｃに取り付ける。
【００２２】
そして、図６（ｂ）に示すように、張線器１の回動操作部５を回動操作して、図６（ｂ）の矢印に示す方向、すなわち本体２をロッド３側に移動させて、張線器１の各遊挿環６に挿通された架線Ｃを弛ませて、各掴器１０，１０によって挟持した所定区間の架線Ｃの張力を解除する。この時の張線器１は、図７に示すような状態になっている。一方、建替電柱Ｄ４に工事用開閉器４０を取り付けるとともに、張線器１の各掴器１０，１０よりも外側の架線Ｃから分岐接続された工事用開閉器付属ケーブルＫを工事用開閉器４０に接続する。
【００２３】
つぎに、図６（ｂ）に示すように、建替電柱Ｄ４に仮支持具３０を取り付けるとともに、張線器１の本体２を間接活線工事用把持具２０の把持部２３によって把持するとともに、間接活線工事用把持具２０の操作棒２１を仮支持具３０の挟持部３７で挟持する。すなわち、固定手段２０，３０で張線器１の本体２を建替電柱Ｄ４に位置固定する。
【００２４】
その後、工事用開閉器４０をオンにしてバイパス経路Ｐを形成して、各掴器１０，１０によって挟持された所定区間の架線Ｃを停電状態にする。この状態において、架線Ｃを切断する（図８（ａ）参照）。
【００２５】
つぎに、図８（ｂ）に示すように、建替電柱Ｄ４に対して、張線器１とは反対側に立設された新設電柱Ｄ６に、建替電柱Ｄ４と同様に、腕金５０を取り付けて、該腕金５０に耐張碍子５１、引留クランプ５２、およびピン碍子５３を取り付ける。なお、図８（ｂ）において、便宜上、建替電柱Ｄ４と新設電柱Ｄ６との高さをずらして図示しているが、実際には、同じ高さである。
【００２６】
そして、図９（ａ）に示すように、建替電柱Ｄ４において、張線器１とは反対側の引留クランプ５２に掛止された架線Ｃを切断して、この架線Ｃを新設電柱Ｄ６の下流側、すなわち建替電柱Ｄ４とは反対側の引留クランプ５２に掛止させる。
【００２７】
その後、図９（ｂ）に示すように、新設電柱Ｄ６において、建替電柱Ｄ４とは反対側の引留クランプ５２で掛止された架線Ｃに、スリーブＳで延長線５５を接続して縁線５４を作った後、建替電柱Ｄ４側の引留クランプ５２に掛止させて、張線器１における架線切断箇所まで延長する。
【００２８】
つぎに、張線器１において切断されている本体２側の架線Ｃの端部に、張線器１まで延長された延長線５５の端部を、スリーブＳで接続する。すなわち、新設電柱Ｄ６に架線Ｃが架設されたことになる。
【００２９】
その後、図１０（ａ）に示すように、張線器１のロッド３を本体２から伸長させて、すなわち、張線器１のロッド３と建替電柱Ｄ４との間の架線Ｃの張力を解除して、該架線Ｃを切断する。この際、架線Ｃの張力が解除されているので、切断された際の応力が架線Ｃにかかることがなく、作業者の安全性を確保することができる。そして、建替電柱Ｄ４から工事用開閉器４０を取り外すとともに、架線Ｃから工事用開閉器付属ケーブルＫを取り外す。
【００３０】
つぎに、図１０（ｂ）に示すように、張線器１を把持している間接活線工事用把持具２０を取り外す。具体的には、間接活線工事用把持具２０において、ハンドル２７を回動操作して、可動側把持部２３ｂを張線器１の本体２から離間させて、張線器１から間接活線工事用把持具２０を取り外す。その後、仮支持具３０の挟持部３７から間接活線工事用把持具２０の操作棒２１を引き抜いて、仮支持具３０から間接活線工事用把持具２０を取り外す。これにより、新設電柱Ｄ６に架設された架線Ｃは、建替電柱Ｄ４への（間接的な）固定状態が解除され、自重による張力が付与された状態となる。
【００３１】
つぎに、図１１（ａ）に示すように、新設電柱Ｄ６の架線Ｃから張線器１を取り外す。具体的に説明すると、まず、各掴器１０，１０の可動側挟持部１３を架線Ｃから離間させて、各掴器１０，１０を架線Ｃから取り外した後、各掴器１０，１０の環状綱１５，１５から張線器１の各フック４，４を取り外す。そして、張線器１の遊挿環６の開閉部６１ｃを開放して、架線Ｃから張線器１を取り外す。
【００３２】
そして、建替電柱ｄ４から仮支持具３０を取り外す。具体的に説明すると、仮支持具３０の固定側支持筒３２を保持しながら、バンド３１ａ，３１ａの突片３１ｂ，３１ｂに螺着しているボルトＢ・ナットを緩めて、バンド３１ａ，３１ａを建替電柱Ｄ４の外周面から取り外す。最後に、建替電柱Ｄ４を、図示していない抜柱器を用いて撤去すると、図１１（ｂ）に示すように、新設電柱Ｄ６のみとなる。以上で架設線路移設作業が完了する。
【００３３】
このように、新設電柱Ｄ６に移設する架設線路ｄのみを停電状態にできるようになるため、従来のように、新設電柱Ｄ６に移設する架設線路ｄを除く他の架設線路ａ〜ｃに配置された分岐接続点Ａの手前の各既設電柱Ｄ１〜Ｄ３に、工事用開閉器４０を個別に接続する必要もなく、各工事用開閉器４０をバイパスケーブルＫで接続してバイパス経路Ｐを形成する必要もないので、停電箇所および接続箇所が大幅に削減されるようになり、架設線路移設作業が短時間でかつ迅速に行うことができる。
【００３４】
以上説明した本発明の一実施形態に係る架設線路移設工法の要旨を概略説明すると、まず、図１２（ａ）に示すように、張線器１の本体２およびロッド３に一対の掴器１０，１０を連結し、架線Ｃに、本体２からロッド３を伸長させた状態の張線器１を取り付ける。つぎに、図１２（ｂ）に示すように、張線器１の本体２をロッド３に移動させて架線Ｃの張力を解除する。そして、図１２（ｃ）に示すように、架線Ｃの張力を解除した状態で、張線器１の本体２を間接活線用把持具２０で固定する。その後、図１２（ｄ）に示すように、張線器１で挟持される所定区間の架線Ｃ（張力の解除された架線Ｃ）を切断する。つぎに、図１２（ｅ）に示すように、張線器１のロッド３を本体２から伸長させて、張線器１のロッド３と耐張碍子５１との間の架線Ｃの張力を解除する。そして、図１２（ｆ）に示すように、張力の解除された架線Ｃを切断する。この際、張線器１のロッド３と耐張碍子５１との間の架線Ｃの張力が解除されるので、該所定区間の架線Ｃを切断しても、切断した際の応力が架線Ｃに及ぶことがなく、作業者の安全性が確保される。
【００３５】
なお、本発明に係る架設線路移設工法は、一の架設線路Ｄ１から分岐接続される他の架設線路Ｄ２〜Ｄ４において、建替電柱Ｄ４を新設電柱Ｄ６に建て替える場合を例にとって説明したが、これに限定されるものではなく、直線状に配置された複数の既設電柱のうち、一の既設電柱を新設電柱に建て替えする場合にも適用することができる。
【００３６】
また、前記実施形態の場合、張線器１、掴器１０、間接活線工事用把持具２０、仮支持具３０の構成は図示に限定されるものではなく、各工具１，１０，２０，３０が目的とする動作を達成できるように構成されてあればよい。
【００３７】
また、前記実施形態の場合、固定手段として、間接活線工事用把持具２０と仮支持具３０とを個別に備えるようにしたが、間接活線工事用把持具２０と仮支持具３０が一体化されたものであってもよい。
【符号の説明】
【００３８】
１…張線器、２…本体、３…ロッド、４…フック、５…回動操作部、６…遊挿環、６ａ…挿通部、６ｂ…固定部、６ｃ…遊挿部、７…操作用リング、１０…掴器（把持手段）、１１…本体、１２…固定側挟持部、１３…可動側挟持部、１４…操作棒、１５…環状綱、１６…操作用リング、２０…間接活線工事用把持具（固定手段）、２１…操作棒、２２…操作部、２３…把持部、２３ａ…固定側把持部、２３ｂ…可動側把持部、２６…駆動軸、２７…ハンドル、３０…仮支持具、３１…装着部、３１ａ…バンド、３１ｂ…突片、３１ｃ…支持体、３２…固定側支持筒、３３…可動側支持筒、３４…梁材、３５…支持片、３６…昇降用支持筒、３７…挟持部、４０…工事用開閉器、５０…腕金、５１…耐張碍子、５２…引留クランプ、５３…ピン碍子、５４…縁線、５５…延長された架線、６０ｃ…本体部、６１ｃ…開閉部、ａ〜ｄ…架設線路、Ａ…分岐接続点、Ｂ…ボルト、Ｄ１〜Ｄ５…既設電柱、Ｄ６…新設電柱、Ｈ…隙間、Ｋ…バイパスケーブル（工事用開閉器付属ケーブル）、Ｃ…架線、Ｐ…バイパス経路、Ｓ…スリーブ
【図１】
2012080678.tif 000003
【図２】
2012080678.tif 000004
【図３】
2012080678.tif 000005
【図４】
2012080678.tif 000006
【図５】
2012080678.tif 000007
【図６】
2012080678.tif 000008
【図７】
2012080678.tif 000009
【図８】
2012080678.tif 000010
【図９】
2012080678.tif 000011
【図１０】
2012080678.tif 000012
【図１１】
2012080678.tif 000013
【図１２】
2012080678.tif 000014
【図１３】
2012080678.tif 000015